(57)【要約】      （修正有）【課題】連結式物品について所定の表示を行うに当たって煩雑で非効率的な作業を有効に回避し得る連結式物品用のシール製品を提供する。【解決手段】剥離紙１とこれに粘着されたシールシート２とからなり、シールシート２は、各容器外周部毎に貼り付けるべき単位シール２１ａの複数を一対のミシン目２１ｂを介して一列に連接してなるシール連接体２１と、一対のミシン目間２１ｃの幅寸法に対し略同一の又は狭い幅寸法を有し、一端部又は両端部を単位シール２１ａの側端位置から延出させた状態で上部を一対のミシン目間２１ｃに対しその全長に亘って粘着させた紐状部材２２とからなり、紐状部材２２及び一対のミシン目間２１ｃが隣り合う容器同士の境目に位置するよう連結式物品外周部に貼り付けられる。【選択図】図２
0003139490.tif 000002
【実用新案登録請求の範囲】
【請求項１】
剥離紙とこの剥離紙に粘着されたシールシートとからなり、各々に内容物が収容された複数の筒状容器を一列に連結してなる連結式物品における各容器に対して所定の表示をそれぞれ行うための連結式物品用のシール製品であって、
前記シールシートは、
前記各容器外周部毎に貼り付けるべき単位シールの複数を一対のミシン目を介して一列に連接してなるシール連接体と、前記一対のミシン目間の幅寸法に対し略同一の又は狭い幅寸法を有し、一端部又は両端部を前記単位シールの側端位置から延出させた状態で上部を該一対のミシン目間に対し当該一対のミシン目間の全長に亘って粘着させた紐状部材とからなり、前記紐状部材及び前記一対のミシン目間が隣り合う前記容器同士の境目に位置するようよう前記連結式物品外周部に貼り付けられるものであることを特徴とする、
連結式物品用のシール製品。
【請求項２】
前記紐状部材は、
前記一対のミシン目間の幅寸法に対し略同一の幅寸法を有し、両長辺の夫々を前記一対のミシン目の夫々に位置させた状態で上面を該一対のミシン目間に対し当該一対のミシン目間の全体に亘って粘着させた帯状シートであることを特徴とする、
請求項１に記載の連結式物品用のシール製品。
【請求項３】
剥離紙とこの剥離紙に粘着されたシールシートとからなり、各々に内容物が収容された複数の筒状容器を一列に連結してなる連結式物品における各容器に対して所定の表示をそれぞれ行うための連結式物品用のシール製品であって、
前記シールシートは、
前記各容器外周部毎に貼り付けるべき単位シールの複数を帯状部分を介して一列に連接してなるシール連接体と、前記シール連接体の引張強度に対し大きい引張強度を有し、前記帯状部分の幅寸法に対し略同一の幅寸法を有し、一端部又は両端部を前記単位シールの側端位置から延出させると共に両長辺の夫々を前記帯状部分の両長辺の夫々に位置させた状態で上面を該帯状部分に対し当該帯状部分の全体に亘って粘着させた帯状シートとからなり、前記帯状シート及び前記帯状部分が隣り合う前記容器同士の境目に位置するようよう前記連結式物品外周部に貼り付けられるものであることを特徴とする、
連結式物品用のシール製品。
【考案の詳細な説明】
【技術分野】
【０００１】
本考案は、例えば化粧品、医薬品その他の物品の分野において所謂連結式物品における各容器に対し内容物に関する表示、物品の装飾価値を高めるデザイン表示、物品の安全性を高める当該容器が未開封であることのバージン性保証表示その他の所定の表示を行う目的に用いられる連結式物品用のシール製品に関する。
【背景技術】
【０００２】
従来のシール製品としては、例えば剥離紙と、この剥離紙に粘着された複数の単位シールとからなるものが開示されている（例えば、特許文献１参照）。
【特許文献１】特開2000-313078号公報
【考案の開示】
【考案が解決しようとする課題】
【０００３】
法律の規定によれば、容器内に内容物を収容してなる化粧品や医薬品という物品については、当該物品の直接の容器に、販売名、製造販売業者、ロット番号、全成分その他の内容物に関する表示を行うことが求められている。また、近年の消費者ニーズの多様化により、化粧品、医薬品その他の物品について当該物品の直接の容器に、物品の装飾価値を高める目的からのデザイン表示が求められることも少なくない。
【０００４】
従来のシール製品によれば、当該物品毎に単位シールを貼り付けることにより、当該物品について内容物に関する表示、デザイン表示その他の所定の表示を行うことが可能である。
【０００５】
ところで、近年の消費者ニーズの多様化により、化粧品、医薬品その他の物品の製造販売を行う業界において、各々に内容物が収容された複数（通常は数個以上）の筒状容器を一列に連結してなる連結式物品が開発されてきている。
【０００６】
しかしながら、従来のシール製品を用いて連結式物品について所定の表示を行う場合には、相当に煩雑で非効率的な作業を余儀なくされるという問題がある。すなわち、連結式物品について所定の表示を行うに当たって従来のシール製品を用いることとすれば、連結式物品という一個の物品について、単位シールを剥離紙から剥がしこれを容器外周部に対して貼り付けるという工程を容器の個数分繰り返さなければならないことになる。
【０００７】
そこで、本考案の課題は、連結式物品について所定の表示を行うに当たって煩雑で非効率的な作業を有効に回避することができる連結式物品用のシール製品を提供することにある。
【課題を解決するための手段】
【０００８】
上記課題を解決するため、第一の考案に係るシール製品は、剥離紙とこの剥離紙に粘着されたシールシートとからなり、各々に内容物が収容された複数の筒状容器を一列に連結してなる連結式物品における各容器に対して所定の表示をそれぞれ行うための連結式物品用のシール製品であって、シールシートは、各容器外周部毎に貼り付けるべき単位シールの複数を一対のミシン目を介して一列に連接してなるシール連接体と、一対のミシン目間の幅寸法に対し略同一の又は狭い幅寸法を有し、一端部又は両端部を単位シールの側端位置から延出させた状態で上部を一対のミシン目間に対し当該一対のミシン目間の全長に亘って粘着させた紐状部材とからなり、紐状部材及び一対のミシン目間が隣り合う容器同士の境目に位置するようよう連結式物品外周部に貼り付けられるものであることを特徴としている。
【０００９】
ここで、「一対のミシン目間」とは、一対のミシン目間に係る領域部分であって隣り合う単位シール同士の間に帯状に形成されたであるシール連接体の部分を意味している。
【００１０】
このようなシール製品においては、シールシートが、複数の単位シールを一対のミシン目を介して一列に連接してなるシール連接体、及び、一端部又は両端部がシール連接体の側端部から延出した状態で上部が一対のミシン目間に粘着する紐状部材からなり、紐状部材及び一対のミシン目間が隣り合う容器同士の境目に位置するよう連結式物品外周部に貼り付けられるものとして構成されている。
【００１１】
したがって、このようなシール製品によれば、連結式物品について所定の表示を行うに当たって、連結式物品という一個の物品について、一枚のシールシートを剥離紙から剥がし、これを当該連結式物品の外周部に対し紐状部材及び一対のミシン目間が隣り合う容器同士の境目に位置するように貼り付けるという工程を一回行うことに加え、紐状部材を引っ張って当該連結式物品に貼り付けられたシールシートから一対のミシン目間を取り除くという軽微な工程を行うだけで足りるため、単位シールを剥離紙から剥がしこれを当該連結式物品における容器の外周部に対して貼り付けるという工程を容器の個数分繰り返すという煩雑で非効率的な作業を有効に回避することができる。
【００１２】
また、このようなシール製品によれば、シールシートを連結式物品に貼り付けた状態で販売することにより、最終消費者や取引者に対し、当該連結式物品が未開封であること、つまり、当該連結式物品のバージン性を保証する封緘手段としての機能を発揮させることが可能である。
【００１３】
このような技術的手段において、一対のミシン目間と同時に単位シールに係る部分もが引き剥がされる不具合を可及的に排除するようにして、同じ工程を何度も繰り返すという煩雑で非効率的な作業をより確実に回避しようとする観点からすれば、紐状部材は、両長辺の夫々を一対のミシン目の夫々に位置させた状態で上面を一対のミシン目間に対し当該一対のミシン目間の全体に亘って粘着させた帯状シートであることが好ましい。
【００１４】
一方、第二の考案に係るシール製品は、剥離紙とこの剥離紙に粘着されたシールシートとからなり、各々に内容物が収容された複数の筒状容器を一列に連結してなる連結式物品における各容器に対して所定の表示をそれぞれ行うための連結式物品用のシール製品であって、シールシートは、各容器外周部毎に貼り付けるべき単位シールの複数を帯状部分を介して一列に連接してなるシール連接体と、シール連接体の引張強度に対し大きい引張強度を有し、帯状部分の幅寸法に対し略同一の幅寸法を有し、一端部又は両端部を単位シールの側端位置から延出させると共に両長辺の夫々を帯状部分の両長辺の夫々に位置させた状態で上面を帯状部分に対し当該帯状部分の全体に亘って粘着させた帯状シートとからなり、帯状シート及び帯状部分が隣り合う容器同士の境目に位置するようよう連結式物品外周部に貼り付けられるものであることを特徴としている。
【００１５】
ここで、「帯状部分」とは、隣り合う単位シール同士の間に帯状に形成されたシール連接体の部分を意味している。
【００１６】
このようなシール製品においては、シールシートが、複数の単位シールを帯状部分を介して一列に連接してなるシール連接体、及び、一端部又は両端部を単位シールの側端位置から延出させた状態で上部が帯状部分にその全体に亘って粘着されシール連接体よりも引張強度が大きい帯状シートからなり、帯状シート及び帯状部分が隣り合う容器同士の境目に位置するよう連結式物品外周部に貼り付けられるものとして構成されている。
【００１７】
したがって、このようなシール製品によれば、連結式物品について所定の表示を行うに当たって、連結式物品という一個の物品について、一枚のシールシートを剥離紙から剥がし、これを当該連結式物品の外周部に対し帯状シート及び帯状部分が隣り合う容器同士の境目に位置するように貼り付けるという工程を一回行うことに加え、帯状シートを引っ張って当該連結式物品に貼り付けられたシールシートから帯状部分を取り除くという軽微な工程を行うだけで足りるため、単位シールを剥離紙から剥がしこれを当該連結式物品における容器の外周部に貼り付けるという工程を容器の個数分繰り返すというような煩雑で非効率的な作業を有効に回避することができる。
【００１８】
また、このようなシール製品によれば、シールシートを連結式物品に貼り付けた状態で販売することにより、最終消費者や取引者に対し、当該連結式物品のバージン性を保証する封緘手段としての機能を発揮させることが可能である。
【考案の効果】
【００１９】
本考案に係るシール製品によれば、連結式物品について所定の表示を行うに当たって煩雑で非効率的な作業を有効に回避することが可能となる。
【考案を実施するための最良の形態】
【００２０】
以下、添付図面に基づいて本考案の実施の形態を詳細に説明する。
【００２１】
◎実施の形態１
図１は本考案の実施の形態１に係る連結式物品用のシール製品の使用状態を示す斜視図、図２は同連結式物品用のシール製品の全体構成を示す平面図、図３は図１のＡ-Ａ断面図、図４は図１のＢ-Ｂ断面図、図５は同連結式物品にシールシートを貼り付けるに当たっての両者の位置関係を示す側面図である。
【００２２】
この実施の形態１において、連結式物品用のシール製品は、図１に示すように、化粧品としての連結式物品１０外周部に対し内容物に関する表示１０ｂを行うことを可能とするものである。
【００２３】
ここで、この内容物に関する表示１０ｂに関しては、薬事法の規定に従う必要がある。すなわち、薬事法によれば、容器内に内容物を収容してなる化粧品や医薬品という物品については、当該物品の直接の容器に、販売名、製造販売業者、ロット番号、全成分その他の内容物に関する表示を行うことが義務づけられている。ここで、連結式物品１０が、各々に内容物が収容された複数の筒状容器１０ａを、一の容器１０ａの先端側外周部を他の容器１０ａの後端側内周部に嵌め込む方法により、一列に連結してなるものであることからすれば、内容物を収容する直接の容器は、連結式物品１０そのものではなく連結式物品１０を構成する各容器１０ａである。したがって、連結式物品１０に対し内容物に関する表示を行う場合には、図１に示すように、各容器１０ａ毎に内容物に関する表示１０ｂを行う必要がある。
【００２４】
すなわち、この実施の形態１における連結式物品用のシール製品は、同図に示すように、連結式物品１０における各容器１０ａ外周部に対し内容物に関する表示１０ｂを行うことを可能とするものである。
【００２５】
そして、このような連結式物品用のシール製品は、図２〜図４に示すように、剥離紙１と、シールシート２とからなるものとして構成されている。
【００２６】
以下、これらの各構成要素についてさらに詳細に説明する。
【００２７】
（１）剥離紙１
この実施の形態１において、剥離紙１は、図２に示すように、一枚につき複数（この実施の形態１では、三枚）のシールシート２が粘着するシート状の剥離紙１である（図３及び図４参照）。
【００２８】
なお、各シールシート２は、図２に示すように、一対のミシン目２１ｂに沿う方向に延びる辺を短辺とし、一対のミシン目２１ｂに直交する方向に延びる辺を長辺とした長方形形状を呈するものとして構成されている。
【００２９】
ここで、剥離紙１は、従来の剥離紙と同様に、未使用の状態でシールシート２の粘着面に対しゴミ等が付着しないようにすることによりシールシート２の粘着性能を維持する役割を果たすものである。したがって、このような役割を果たすものであれば、本考案において一枚に複数のシールシート２が粘着するシート状の台紙の代わりに、一枚に一枚のシールシート２が粘着するシート状の台紙や一枚に複数のシールシート２が粘着するロール状の台紙その他の剥離紙を用いることが可能である。
【００３０】
次に、剥離紙１は、図３及び図４に示すように、紙製の基材１１と、基材１１の上側に設けられた剥離剤層１２と、基材１１及び剥離剤層１２の間に設けられ剥離剤層１２の薬品が基材１１に染込む事を防止する目止層１３とから構成されている。
【００３１】
ここで、図２及び図４に示すように、この剥離紙１に対しては、剥離剤層１２の上面である剥離面に対しシールシート２の粘着剤層５２の下面である粘着面が接することにより、複数（この実施の形態１では、三枚）のシールシート２が粘着されている。
【００３２】
なお、基材１１には、半晒、上質紙、グラシン紙など様々なものを用いることが可能である。また、目止め層には、通常ポリエチレン層を用いているが、クレーコート層や PVA（ポリビニルアルコール） 層などを用いることにより再生可能な剥離紙１とすることが可能である。さらに、剥離層には、シリコーン樹脂を使用することが可能である。
【００３３】
そして、図２に示すように、このような剥離紙１においては、複数（この実施の形態１では、三枚）のシールシート２がその一対のミシン目２１ｂに直交する方向に延びる辺側を正面又は背面方向とした縦列に適宜間隔をおいて配置されている。また、同図に示すように、この剥離紙１においては、各シールシート２がその一対のミシン目２１ｂに沿う方向に延びる辺側端部が剥離紙１の側端部から引っ込むように配置されている。
【００３４】
このような剥離紙１及びシールシート２の位置関係により、剥離紙１からシールシート２を剥離する操作について容易化を図ることが可能となっており、しかも、シール製品としての無駄を可及的に排除することもが可能となっている。
【００３５】
（２）シールシート２
先ず、シールシート２は、図３及び図４に示すように、表面に内容物に関する表示が表された連接体シート５１及び連接体シート５１の下側に設けられた粘着剤層５２からなるシール連接体２１と、上面が一対のミシン目間２１ｃの下側であるシール連接体２１の粘着剤層５２に対し粘着された紐状部材たる帯状シート２２と、帯状シート２２の下側に設けられ下面が剥離紙１の剥離剤層１２に対し粘着された粘着剤層２３とからなるものとして構成されている（図２参照）。
【００３６】
ここで、シール連接体２１は、図２に示すように、複数の単位シール２１ａと、隣り合う単位シール２１ａ同士の間に設けられた一対のミシン目２１ｂと、一対のミシン目２１ｂの間に係る領域部分であって隣り合う単位シール２１ａ同士の間に帯状に形成されたシール連接体２１の部分である一対のミシン目間２１ｃとを有している。
【００３７】
すなわち、シール連接体２１は、同図に示すように、各容器１０ａ外周部毎に貼り付けるべき単位シール２１ａの複数（この実施の形態１では、三枚）を一対のミシン目２１ｂを介して一列（縦列）に連接してなるものである（図１参照）。
【００３８】
具体的には、シール連接体２１は、その下面全体が粘着面として構成されている。このように、シール連接体２１にその下面全体が粘着面であることを要求するのは、連結式物品１０に貼り付けた後のシールシート２から一対のミシン目間２１ｃを引き剥がす際にミシン目の全部が切り離されず単位シール２１ａに係る部分をも破り剥がしてしまう不具合を可及的に排除することにより、同じ工程を何度も繰り返すという煩雑で非効率的な作業を確実に回避することが可能な連結式物品用のシール製品とするためである。したがって、このような機能を発揮するものであれば、本考案において下面全体が粘着面であるシール連接体２１の代わりに、単位シール２１ａの下面が粘着面であり一対のミシン目間２１ｃの下面が非粘着面であるシール連接体を用いてもよい。
【００３９】
ここで、一対のミシン目間２１ｃの下面が非粘着面であるシール連接体を用いる場合には、帯状シート２２の側に粘着剤層を設ける等により、上面を一対のミシン目間２１ｃに対し一対のミシン目間２１ｃの全体に亘って粘着させた帯状シートとする必要がある。
【００４０】
また、シール連接体２１は、印刷その他の方法により単位シール２１ａの上面に販売名、製造販売業者、ロット番号、全成分その他の内容物に関する表示１０ｂを表したものである（図１参照）。
【００４１】
一方、帯状シート２２は、図２に示すように、一対のミシン目間２１ｃの幅寸法に対し略同一の幅寸法を有するものである。
【００４２】
このように帯状シート２２に一対のミシン目間２１ｃと略同一の幅寸法を有するものであることを要求するのは、連結式物品１０に貼り付けた後のシールシート２から一対のミシン目間２１ｃを引き剥がす際にミシン目の全部が切り離されず単位シール２１ａに係る部分をも破り剥がしてしまう不具合を可及的に排除することにより、同じ工程を何度も繰り返すという煩雑で非効率的な作業を確実に回避し得る連結式物品用のシール製品とするためである。したがって、このような機能を発揮するものであれば、本考案において一対のミシン目間２１ｃと略同一の幅寸法を有する帯状シート２２の代わりに、一対のミシン目間２１ｃよりも狭い幅寸法を有する帯状シートその他の一対のミシン目間２１ｃの幅寸法に対し略同一の又は狭い幅寸法を有する紐状部材を用いることが可能である。
【００４３】
さらに、帯状シート２２は、図２及び図５に示すように、その両長辺の夫々を一対のミシン目２１ｂの夫々に位置させた状態でその上面を一対のミシン目間２１ｃに対し一対のミシン目間２１ｃの全体に亘って粘着させたものである（図３参照）。
【００４４】
また、帯状シート２２は、これらの図に示すように、一対のミシン目間２１ｃの長さ寸法に対し略同一の長さ寸法を有するものである。これは、この実施の形態１に係る一対のミシン目間２１ｃとして単位シール２１ａの一方の側端位置から突出した突出部を有するものを採用しているが、この場合において帯状シート２２がその一端部を単位シール２１ａの側端位置から延出させた状態でその上部を一対のミシン目間２１ｃに対し一対のミシン目間２１ｃの全長に亘って粘着させたものであるという本考案の基本的構成に整合させた結果、帯状シート２２と一対のミシン目間２１ｃとが略同一の長さ寸法を有することとなったものである。
【００４５】
つまり、帯状シート２２は、これらの図に示すように、その一端部を単位シール２１ａの側端位置から延出させると共にその他端部を単位シール２１ａの側端位置、つまり、シール連接体２１の側端部に位置させた状態でその上面を一対のミシン目間２１ｃに対し一対のミシン目間２１ｃの全体に亘って粘着させたものである。
【００４６】
次に、このようなシールシート２は、図５に示すように、帯状シート２２及び一対のミシン目間２１ｃが隣り合う容器１０ａ同士の境目に位置するようよう連結式物品１０外周部に貼り付けられるべきものとして構成されている。
【００４７】
すなわち、このようなシールシート２によれば、帯状シート２２及び一対のミシン目間２１ｃが隣り合う容器１０ａ同士の境目に位置するようよう連結式物品１０外周部に貼り付けられることになるため、一の単位シール２１ａが隣り合う容器１０ａ同士の境目に跨って貼り付けられることはなくなり、これにより、連結式物品１０における各容器１０ａ外周部に対し内容物に関する表示を行うことが可能であるという本考案の基本的機能を担保することが可能となっている。
【００４８】
上記したように、この実施の形態１に係るシール製品は、シールシート２が、複数の単位シール２１ａを一対のミシン目２１ｂを介して一列に連接してなるシール連接体２１と、一端部がシール連接体２１の側端部から延出した状態で上部が一対のミシン目間２１ｃに粘着する帯状シート２２とからなり、帯状シート２２及び一対のミシン目間２１ｃが隣り合う容器１０ａ同士の境目に位置するよう連結式物品１０外周部に貼り付けられるものとして構成されている。
【００４９】
したがって、このようなシール製品によれば、連結式物品１０について薬事法の規定により内容物に関する表示を行う、つまり、連結式物品１０における各容器１０ａ外周部に対し内容物に関する表示を行うに当たって、連結式物品１０という一個の物品について、一枚のシールシート２を剥離紙１から剥がし、これを当該連結式物品１０の外周部に対し帯状シート２２及び一対のミシン目間２１ｃが隣り合う容器１０ａ同士の境目に位置するように貼り付けるという工程を一回行うことに加え、帯状シート２２を引っ張って当該連結式物品１０に貼り付けられたシールシート２から一対のミシン目間２１ｃを取り除くという軽微な工程を行うだけで足りるため、当該一個の連結式物品１０について単位シールを剥離紙から剥がしこれを当該連結式物品１０における容器１０ａ外周部に対して貼り付けるという工程を容器１０ａの個数分繰り返すという煩雑で非効率的な作業を有効に回避することが可能となっている。
【００５０】
◎実施の形態２
図６は本考案の実施の形態２に係る連結式物品用のシール製品の全体構成を示す平面図である。なお、実施の形態１と同様な構成要素については実施の形態１と同様な符号を付してここではその詳細な説明を省略する。
【００５１】
この実施の形態２に係る連結式物品用のシール製品の基本構成は、図６に示すように、実施の形態１と同様であるが、実施の形態１と異なり、シール連接体１２１が、各容器１０ａ外周部毎に貼り付けるべき単位シール２１ａの複数を帯状部分１２１ｃを介して一列（縦列）に連接してなるものとして構成されている。すなわち、この実施の形態２におけるシール連接体１２１は、一対のミシン目間２１ｃに相当する両側の単位シール２１ａから連続する帯状部分１２１ｃを有している点で、実施の形態１と略同様であるが、一対のミシン目２１ｂを有していない点で、実施の形態１と異なっている。
【００５２】
また、この実施の形態２における帯状シート１２２は、同図に示すように、帯状部分１２１ｃの幅寸法に対し略同一の幅寸法を有している点、及び、その一端部を単位シール２１ａの側端位置から延出させると共にその他端部を単位シール２１ａの側端位置、つまり、シール連接体１２１の側端部に位置させた状態でその上面を帯状部分１２１ｃに対し帯状部分１２１ｃの全体に亘って粘着させたものである点で、実施の形態１と略同様であるが、実施の形態１と異なり、シール連接体１２１の引張強度に対し大きい引張強度を有している。
【００５３】
すなわち、この実施の形態２に係る連結式物品用のシール製品においては、同図に示すように、シールシート２が、複数の単位シール２１ａを帯状部分１２１ｃを介して一列に連接してなるシール連接体１２１と、一端部を単位シール２１ａの側端位置から延出させた状態で上部が帯状部分１２１ｃに帯状部分１２１ｃの全体に亘って粘着されシール連接体１２１よりも引張強度が大きい帯状シート１２２とからなり、帯状シート１２２及び帯状部分１２１ｃが隣り合う容器１０ａ同士の境目に位置するよう連結式物品１０外周部に貼り付けられるものとして構成されている。
【００５４】
したがって、このようなシール製品によっても、連結式物品１０について薬事法により内容物に関する表示を行うに当たって、連結式物品１０という一個の物品について、一枚のシールシート２を剥離紙１から剥がし、これを当該連結式物品１０の外周部に対し帯状シート１２２及び帯状部分１２１ｃが隣り合う容器１０ａ同士の境目に位置するように貼り付けるという工程を一回行うことに加え、帯状シート１２２を引っ張って当該連結式物品１０に貼り付けられたシールシート２から帯状部分１２１ｃを取り除くという軽微な工程を行うだけで足りるため、実施の形態１と同様な作用効果を奏することが可能となっている。
【００５５】
以上、これらの実施の形態においては、化粧品としての連結式物品に対し法律の規定により内容物に関する表示を行う場合について説明したが、本考案は、このような実施の形態に限られるものではない。例えば化粧品、医薬品その他の連結式物品に対し法律の規定とは無関係に内容物に関する表示を行う場合に適用してもよいし、化粧品、医薬品その他の連結式物品に対しデザイン上の表示その他の所定の表示を行う場合に適用してもよい。
【図面の簡単な説明】
【００５６】
【図１】本考案の実施の形態１に係る連結式物品用のシール製品の使用状態を示す斜視図である。
【図２】同連結式物品用のシール製品の全体構成を示す平面図である。
【図３】図１のＡ-Ａ断面図である。
【図４】図１のＢ-Ｂ断面図である。
【図５】同連結式物品にシールシートを貼り付けるに当たっての両者の位置関係を示す側面図である。
【図６】本考案の実施の形態２に係る連結式物品用のシール製品の全体構成を示す平面図である。
【符号の説明】
【００５７】
１ 剥離紙
２ シールシート
１０ 連結式物品
１０ａ 容器
１０ｂ 内容物に関する表示
１１ 基材
１２ 剥離剤層
１３ 目止層
２１ シール連接体
２１ａ 単位シール
２１ｂ 一対のミシン目
２１ｃ 一対のミシン目間
２２ 帯状シート
５１ 連接体シート
５２ 粘着剤層
１２１ シール連接体
１２１ｃ 帯状部分
１２２ 帯状シート
【図１】
0003139490.tif 000003
【図２】
0003139490.tif 000004
【図３】
0003139490.tif 000005
【図４】
0003139490.tif 000006
【図５】
0003139490.tif 000007
【図６】
0003139490.tif 000008